【手続補正書】
【提出日】令和2年7月20日(2020.7.20)
【手続補正１】
【補正対象書類名】特許請求の範囲
【補正対象項目名】全文
【補正方法】変更
【補正の内容】
【特許請求の範囲】
【請求項１】
印刷面数の上限値を設定する設定手段と、
外部装置から印刷ジョブを受信する受信手段と、
印刷ジョブに基づきシートに画像を印刷する印刷手段と、
前記受信した印刷ジョブが、ユーザーによって指定された印刷開始時刻まで印刷を待つようになされた印刷設定の予約印刷ジョブである場合、前記受信した予約印刷ジョブの実行開始の前に前記受信した予約印刷ジョブに基づいて予約された印刷面数を示す第１のカウント値を更新する第１更新手段と、
前記受信した予約印刷ジョブを記憶する記憶手段と、
印刷の実行に従って前記印刷面数の前記上限値に関する第２のカウント値を更新する第２更新手段と、
前記第１のカウント値と前記第２のカウント値の合計が前記印刷面数の前記上限値に達した状態で、前記受信手段が新しい印刷ジョブを受信したことに従って、エラーを通知する通知手段と、
前記記憶された前記予約印刷ジョブに対して指定された前記印刷開始時刻に関する設定に基づいて、前記予約印刷ジョブが前記印刷開始時刻に達したと判定した場合、当該印刷開始時刻に達した前記予約印刷ジョブに基づく印刷を前記印刷手段に実行させる印刷制御手段と
を備えたことを特徴とする画像形成装置。
【請求項２】
前記第１のカウント値、前記第２のカウント値、および前記受信した新しい印刷ジョブに基づく印刷面数の合計が前記印刷面数の前記上限値に達したか否かを判定する判定手段
をさらに有することを特徴とする請求項１に記載の画像形成装置。
【請求項３】
前記予約印刷ジョブが実行されると、前記予約印刷ジョブの印刷面数が、前記第２のカウント値に加算され、前記第１のカウント値から減算されることを特徴とする請求項２に記載の画像形成装置。
【請求項４】
前記予約印刷ジョブを受信し、前記合計が前記印刷面数の前記上限値に達していない場合、前記予約印刷ジョブは、前記記憶手段に記憶され、前記予約印刷ジョブの前記印刷面数が前記第１のカウント値に加算されることを特徴とする請求項２または３に記載の画像形成装置。
【請求項５】
前記印刷開始時刻が設定されていない通常印刷ジョブを受信し、前記合計が前記印刷面数の前記上限値に達していないと判定された場合、前記印刷制御手段は、前記通常印刷ジョブに基づく印刷を前記印刷手段に実行させることを特徴とする請求項２乃至４のいずれか１項に記載の画像形成装置。
【請求項６】
前記印刷ジョブを管理するための管理画面を表示する管理画面表示手段をさらに有し、
前記管理画面を介して選択された前記予約印刷ジョブを削除するユーザー操作を受け付けた場合、前記第１の更新手段は、前記予約印刷ジョブの印刷面数を前記第１のカウント値から減算することを特徴とする請求項２乃至５のいずれか１項に記載の画像形成装置。
【請求項７】
前記印刷面数の前記上限値、前記第１のカウント値、および前記第２のカウント値は、ユーザーのグループ毎に管理されることを特徴とする請求項１乃至６のいずれか１項に記載の画像形成装置。
【請求項８】
前記第２のカウント値は、所定の条件を満した場合に、初期化されることを特徴とする請求項１乃至７のいずれか１項に記載の画像形成装置。
【請求項９】
タイマをさらに有し、
前記印刷制御手段は、前記記憶された前記予約印刷ジョブに対して指定された前記印刷開始時刻に関する設定と、前記タイマから取得される時刻情報とに基づいて、前記予約印刷ジョブの前記印刷開始時刻に達した場合に、当該印刷開始時刻に達した前記予約印刷ジョブに基づく印刷を前記印刷手段に実行させることを特徴とする請求項１乃至８のいずれか１項に記載の画像形成装置。
【請求項１０】
前記通知手段は、前記新しい印刷ジョブの送信元である情報処理装置にエラーを通知することを特徴とする請求項１乃至９のいずれか１項に記載の画像形成装置。
【請求項１１】
印刷ジョブの実行に従って印刷面数制限に関するカウントを行う画像形成装置の制御方法であって、
印刷面数の上限値を設定する設定工程と、
外部装置から印刷ジョブを受信する受信工程と、
前記受信した印刷ジョブが、ユーザーによって指定された印刷開始時刻まで印刷を待つようになされた印刷設定の予約印刷ジョブである場合、前記受信した予約印刷ジョブの実行開始の前に前記受信した予約印刷ジョブに基づいて予約された印刷面数を示す第１のカウント値を更新する第１更新工程と、
前記受信した予約印刷ジョブを所定の記憶領域に格納する格納工程と、
印刷の実行に従って前記印刷面数の前記上限値に関する第２のカウント値を更新する第２更新工程と、
前記第１のカウント値と前記第２のカウント値の合計が前記印刷面数の前記上限値に達した状態で、前記受信工程で新しい印刷ジョブを受信したことに従って、エラーを通知する通知工程と、
前記所定の記憶領域に格納された前記予約印刷ジョブに対して指定された前記印刷開始時刻に関する設定に基づいて、前記予約印刷ジョブが前記印刷開始時刻に達したと判定した場合に、当該印刷開始時刻に達したと判定された前記予約印刷ジョブの印刷を開始する印刷制御工程と
を含むことを特徴とする方法。
【請求項１２】
画像形成装置とネットワークを介して接続された情報処理端末のコンピュータに、
印刷面数の上限値を設定する設定工程と、
外部装置から印刷ジョブを受信する受信工程と、
前記受信した印刷ジョブが、ユーザーによって指定された印刷開始時刻まで印刷を待つようになされた印刷設定の予約印刷ジョブである場合、前記受信した予約印刷ジョブの実行開始の前に前記受信した予約印刷ジョブに基づいて予約された印刷面数を示す第１のカウント値を更新する第１更新工程と、
前記受信した予約印刷ジョブを所定の記憶領域に格納する格納工程と、
印刷の実行に従って前記印刷面数の前記上限値に関する第２のカウント値を更新する第２更新工程と、
前記第１のカウント値と前記第２のカウント値の合計が前記印刷面数の前記上限値に達した状態で、前記受信工程で新しい印刷ジョブを受信したことに従って、エラーを通知する通知工程と、
前記所定の記憶領域に格納された前記予約印刷ジョブに対して指定された前記印刷開始時刻に関する設定に基づいて、前記予約印刷ジョブが前記印刷開始時刻に達したと判定した場合に、当該印刷開始時刻に達したと判定された前記予約印刷ジョブの印刷を開始する印刷制御工程と
を実行させるためのプログラム。
【手続補正２】
【補正対象書類名】明細書
【補正対象項目名】０００７
【補正方法】変更
【補正の内容】
【０００７】
本発明の一実施形態に係る画像形成装置は、印刷面数の上限値を設定する設定手段と、外部装置から印刷ジョブを受信する受信手段と、印刷ジョブに基づきシートに画像を印刷する印刷手段と、前記受信した印刷ジョブが、ユーザーによって指定された印刷開始時刻まで印刷を待つようになされた印刷設定の予約印刷ジョブである場合、前記受信した予約印刷ジョブの実行開始の前に前記受信した予約印刷ジョブに基づいて予約された印刷面数を示す第１のカウント値を更新する第１更新手段と、前記受信した予約印刷ジョブを記憶する記憶手段と、印刷の実行に従って前記印刷面数の前記上限値に関する第２のカウント値を更新する第２更新手段と、前記第１のカウント値と前記第２のカウント値の合計が前記印刷面数の前記上限値に達した状態で、前記受信手段が新しい印刷ジョブを受信したことに従って、エラーを通知する通知手段と、前記記憶された前記予約印刷ジョブに対して指定された前記印刷開始時刻に関する設定に基づいて、前記予約印刷ジョブが前記印刷開始時刻に達したと判定した場合、当該印刷開始時刻に達した前記予約印刷ジョブに基づく印刷を前記印刷手段に実行させる印刷制御手段とを備えたことを特徴とする。